(57)【要約】【課題】真空パッキングされた布製品を包装袋を通して外部からみることができ、しかも皺がよらずにきれいに仕上がるようにする。【解決手段】主表面形状が長方形になるように扁平な直方体形状に折りたたまれ、ポリエチレン製包装袋４に真空パッキングされた１枚のタオル２の内側には、タオル２の生地より剛性の大きい厚紙にてなる台紙６が包み込まれている。台紙６は同じ大きさで長方形の２つの平板６ａ，６ｂを備えており、これらの平板６ａ，６ｂは側板６ｃで連結され、一方の平板６ａと側板６ｃとの境界には、この台紙６を折り曲げたときに内側になるように折れ曲がった折れ曲がり部６ｄが形成されている。また、他方の平板６ｂには、側板６ｃと対向する位置に側板６ｃと平行に他の側板６ｅが設けられている。【選択図】　　　図１
2004010158.tif 000002
【特許請求の範囲】
【請求項１】
折り畳まれた布製品と、その周囲を被覆し内部が排気されて前記布製品を封止している通気性のない透光性の合成樹脂製包装袋とを備えた真空パッキング体において、
折り畳まれた前記布製品の内部には台紙が包み込まれており、
前記台紙は折り畳まれた前記布製品の主表面形状を規定する形状で、前記布製品より大きな剛性をもつ平板を少なくとも１つ備えていることを特徴とする真空パッキング体。
【請求項２】
前記布製品は前記台紙の前記平板の少なくとも１つに対しては、その平板より表面側に存在する布生地の枚数がその反対側に存在する布生地の枚数より少なくなるように折り畳まれている請求項１に記載の真空パッキング体。
【請求項３】
前記台紙は同じ大きさの前記平板を２つ備え、それらの両平板の一端が側板で連結され、互いにほぼ平行になるように折り曲げられたものであり、
前記布製品は前記両平板より表面側に存在する布生地の枚数が前記両平板間に存在する布生地の枚数より少なくなるように折り畳まれている請求項２に記載の真空パッキング体。
【請求項４】
前記台紙の２つの前記平板の一方又は両方には前記側板と対向する位置に他の側板が一体として設けられている請求項３に記載の真空パッキング体。
【請求項５】
前記台紙の両平板を連結している側板には内側に折れ曲がった折曲部が設けられている請求項３又は４に記載の真空パッキング体。
【請求項６】
包装しようとする布製品より大きな剛性をもつ平板を少なくとも１つ備えている台紙を前記布製品の内側に入れ、前記布製品を折り畳んだ状態での主表面形状が前記台紙の前記平板の形状になるように前記布製品を折り畳んだ後、
その折り畳んだ布製品を前記台紙を包み込んだ状態で通気性のない透光性の合成樹脂製包装袋に入れ、
前記包装袋内の空気を排気した後、前記包装袋の開口部を気密を保って封止することを特徴とする真空パッキング体の製造方法。
【請求項７】
前記布製品を折り畳む際、前記台紙の前記平板の少なくとも１つに対しては、その平板より表面側に存在する布生地の枚数がその反対側に存在する布生地の枚数より少なくなるように折り畳む請求項６に記載の製造方法。
【請求項８】
前記包装袋内の空気を排気する際、前記包装袋内に収納された布製品を平面形状が前記台紙の前記平板形状に対応した形状の凹部をもつ枠に入れ、前記布製品の上に蓋を設けて加圧し、前記包装袋の開口部の側の側面を除いて、前記布製品の上下面及び側面が平坦面になるように前記布製品の形状を固定した状態で排気を行う請求項６又は７に記載の製造方法。
【発明の詳細な説明】
【０００１】
【発明の属する技術分野】
本発明は、タオルやシーツなどの布製品を折り畳んでコンパクトに包装した真空パッキング体とその製造方法に関するものである。
【０００２】
【従来の技術】
タオルを折り畳んでビニル袋などの包装袋に入れ袋中の空気を抜いて包装する真空パッキングタオルが知られている。しかし、真空パッキングの際、袋内の空気を排気するに伴って袋内のタオルの形が変形するとともにタオルと包装袋に皺がよって、美感を損ない商品価値を減殺させる。
【０００３】
そこで、その問題を解決するために、幾つかの方法が提案されている。
１つの方法は、縦長矩形で厚みのある板の上に、２つの長辺を上方に折り曲げて板の上面とほぼ同形にした縦長矩形の下段の厚紙を載せ、片方が閉じられていないビニル袋に折り畳んで挿入したタオルを載せる。下段の厚紙と同形で２つの長辺を下方に折り曲げた上段の厚紙を下段の厚紙とビニル袋に挿入されたタオルを覆うように載せて、上段の厚紙の上からプレス器により加圧しながらタオルが挿入されたビニル袋内から管を使って空気を吸引し真空状態にした後、ビニル袋の開口を閉じるというものである（特許第２７１００３５号公報参照）。
【０００４】
その方法によれば、板と厚紙でタオルの形状を固定することにより、折り畳んだタオルを形崩れすることなく包装でき、プレス器と真空包装器を併用することによりビニル袋内の空気を均一に吸引するため皺がよらないとされている。
【０００５】
折り畳まれたタオルは、場所によってタオル生地の密度が不均一になることは避けられない。上の方法では、包装袋内にはタオル生地より剛性の大きいものを入れていないため、真空パッキングのために包装袋内を排気していくと、内部のタオル生地密度の不均一がそのまま表面に現われ、皺になる。板と厚紙でタオルの形状を固定したとしても内部のタオル生地密度の不均一に伴う皺の発生まで防止することは難しい。
【０００６】
このことは、この方法を述べている前記文献に、ビニル袋中のタオルの面上にプラスチックシ−トを挿入することによりタオル織地にビニル袋が入り込むのを防ぐことができ、ビニル袋表面に皺がよらず、より美しく包装できると記載されていることからも窺い知ることができる。かりに、ビニル袋中のタオルの面上にプラスチックシ−トを挿入したとしても、タオル織地にビニル袋が入り込むのを防ぐことができるに留まり、内部のタオル生地密度の不均一に伴う皺の発生を防止することはできない。
【０００７】
他の方法は、折り畳まれ、対向する２つの主表面を有するタオル本体と、このタオル本体の少なくとも一方の主表面に面接触して配置されている平板状の補助体と、前記タオル本体と前記補助体との周囲を被覆して、内部が真空に排気されている被覆体とを具備し、前記補助体は、前記被覆体及び前記タオル本体よりも剛性が大きく、前記被覆体よりも厚いものとする方法である（実用新案登録第３０７８５０２号公報参照）。
【０００８】
その方法によれば、被覆体よりも剛性が大きく、厚さが厚い補助体が、タオル本体の少なくとも一方の主表面に面接触して配置されているので、被覆体の内部を真空排気した場合、平板状の補助体自体は変形しにくく、これに均等にかかった大気圧が、補助体に接触している折り畳みタオルの主表面及び被覆体を均等に押圧し、これらに大きな凹凸が形成されない。従って、見栄えがよく、かつ嵩張ることのない折り畳みタオルを得ることができるとされている。
【０００９】
しかし、その方法でも内部のタオル生地密度の不均一に伴って補助体とそれに接触している折り畳みタオルの主表面との間に皺ができることは避けられない。もし補助体として不透明な材質のものを使用すれば、外部から皺は見えないが、タオル自体を外部からみることができなくなるという不都合が生じる。
【００１０】
さらに他の方法は、折り畳んだ布製品を包装箱内に入れ、その状態で包装箱ごと真空パッキングする方法である（特開平３−２８９４６１号公報参照）。
その方法は、真空パッキングされた商品の意匠が包装箱の意匠で決まってしまうため、包装されている布製品を直接みることができないという問題がある。
【００１１】
【発明が解決しようとする課題】
これらの方法は、真空パッキングされた布製品を包装袋を通して外部からみることができるようにし、かつ皺がよることをより効果的に防ぐという観点からは、なお改良の余地があると言わざるを得ない。
【００１２】
そこで、本発明は、真空パッキングされた布製品を包装袋を通して外部からみることができるようにするとともに、皺がよることをより効果的に防ぐことを目的とするものである。
【００１３】
【課題を解決するための手段】
本発明の布製品真空パッキング体は、折り畳まれた布製品と、その周囲を被覆し内部が排気されて布製品を封止している通気性のない透光性の合成樹脂製包装袋とを備え、折り畳まれた布製品の内部には台紙が包み込まれており、その台紙は折り畳まれた布製品の主表面形状を規定する形状で、その布製品より大きな剛性をもつ平板を少なくとも１つ備えていることを特徴とするものである。
【００１４】
折り畳まれた布製品の内部にはその布製品より大きな剛性をもつ平板を備えた台紙が包み込まれているので、真空パッキングのために包装袋内を排気していったとき、折り畳まれた布製品の生地密度不均一にともなって表面に皺が現われることがその台紙により防止される。また、折り畳まれた布製品の外形が変形することも防止される。
【００１５】
布製品は台紙の平板の少なくとも１つに対しては、その平板より表面側に存在する布生地の枚数がその反対側に存在する布生地の枚数より少なくなるように折り畳まれていることが好ましい。平板より表面側の布生地の枚数が少ないほど、表面に皺が発生しにくくなり、好都合である。
【００１６】
この場合、さらに、台紙は同じ大きさの平板を２つ備え、それらの両平板の一端が側板で連結され、互いにほぼ平行になるように折り曲げられたものであり、布製品はそれらの両平板より表面側に存在する布生地の枚数が両平板間に存在する布生地の枚数より少なくなるように折り畳まれていることが好ましい。これにより、表側も裏側もともに皺のない真空パッキング体とすることができる。
【００１７】
さらに、台紙は同じ大きさの平板を２つ備え、その２つの平板の一方又は両方には両平板を連結している側板と対向する位置に他の側板が一体として設けられていることが好ましい。これにより、折り畳まれた布製品の側面にも皺が現われにくくなり、好都合である。
【００１８】
さらに、台紙は同じ大きさの平板を２つ備え、その２つの平板の一方には両平板を連結している側板には内側に折れ曲がった折曲部が設けられていることが好ましい。この折曲部は折り畳まれた布製品の側面が湾曲するなどの変形を防止するとともに、側面で弛んだ布生地を収容して皺の発生を防止する。
【００１９】
本発明の製造方法は、包装しようとする布製品より大きな剛性をもつ平板を少なくとも１つ備えている台紙を前記布製品の内側に入れ、前記布製品を折り畳んだ状態での主表面形状が前記台紙の前記平板の形状になるように前記布製品を折り畳んだ後、その折り畳んだ布製品を前記台紙を包み込んだ状態で通気性のない透光性の合成樹脂製包装袋に入れ、前記包装袋内の空気を排気した後、前記包装袋の開口部を気密を保って封止することを特徴としている。
【００２０】
できあがる真空パッキング体の表面に皺が発生するのをより有効に防止するためには、布製品を折り畳む際、台紙の平板の少なくとも１つに対しては、その平板より表面側に存在する布生地の枚数がその反対側に存在する布生地の枚数より少なくなるように折り畳むことが好ましい。
【００２１】
できあがる真空パッキング体の外形をより均一に整えるためには、包装袋内の空気を排気する際、包装袋内に収納された布製品を平面形状が台紙の平板形状に対応した形状の凹部をもつ枠に入れ、その布製品の上に蓋を設けて加圧し、包装袋の開口部の側の側面を除いて、その布製品の上下面及び側面が平坦面になるように布製品の形状を固定した状態で排気を行うことが好ましい。
【００２２】
【発明の実施の形態】
台紙の材質は厚紙、プラスチック、などの種々のものを使用することができるが、台紙を包み込むように折りたたんだ布製品を真空パッキングしたときに形状を保持できるように、包装しようとする布製品より大きな剛性をもつものであれば特に限定されない。
【００２３】
台紙の平板の形状はできあがる真空パッキング体の主表面形状を規定するものであり、長方形又は正方形といった矩形が最も一般的な形状であるが、角をなくした矩形、三角形、五角形以上の多角形でもよい。
【００２４】
対象となる布製品は、タオル、バスタオル、シーツなど広げると平坦なものが好ましいが、折りたたむことができるものであれば特に限定されることはない。
【００２５】
折りたたんだ布製品を封止する合成樹脂製包装袋は、透光性をもち、通気性がないという性質と、ヒートシール（熱溶着）又は高周波溶着が可能な材質であればよい。そのような材質の合成樹脂としては、ポリエチレンやポリ塩化ビニールなどの単層フィルムのほか、ポリアミド系合成繊維とポリエチレンとを積層したもの、ナイロンフィルムとポリエチレンフィルムをポリエチレン層を介在させて積層したもの、又はナイロンフィルムとポリエチレンフィルムを積層したものなどのラミネートフィルムを用いることもできる。
【００２６】
ラミネートフィルムではポリエチレンフィルムが熱融着性をもつため、ポリエチレンフィルム側が内側になるように包装袋を製作する。外側になるナイロンフィルムなどの素材は、通気性を阻止するのに適する。またポリアミド系合成繊維などが外側になるように積層したものは、バスタオルやシーツなど大型の布製品を真空パッキングする際に強度を維持する上で好都合である。
【００２７】
以下、実施例に基づいて本発明をより具体的に説明する。
図１は真空パッキングにより包装されたタオルを表わしたものである。（Ａ）は斜視図、（Ｂ）はそのＸ−Ｘ’線位置での断面図である。
【００２８】
２は主表面形状が長方形になるように折りたたまれ真空パッキングされた１枚のタオルであり、その内側にはタオル２の生地より剛性の大きい厚紙にてなる台紙６が包み込まれている。台紙６の平板６ａ，６ｂの平面形状は長方形であり、折りたたまれたタオル２の主表面形状は、その台紙６の平板６ａ，６ｂの形状に沿った形状となっている。折りたたまれ真空パッキングされたタオル２は厚みを有し、全体として扁平な直方体をしている。
【００２９】
４は折り畳まれたタオル２を、台紙６を包み込んだ状態で被覆し、真空パッキングしているポリエチレン製包装袋である。包装袋４は筒状のものの両端が熱融着されて気密を保って封止されており、内部は空気が排気されて真空状態となっている。包装袋内を吸引ポンプにより吸引して排気し、気密封止した状態のものを真空パッキング体と呼んでいる。包装袋４は透明であり、収納されたタオル２の柄や、必要に応じて挿入することがある印刷物などがその包装袋４を通して外部から見ることができる。
【００３０】
その断面図を示す図１（Ｂ）には、折りたたまれたタオル２の内部に包み込まれた台紙６が断面図として示されている。この台紙６を詳細に示すために、途中段階まで折り曲げた状態の台紙６を斜視図として図２（Ａ）に示す。台紙６は同じ大きさで長方形の２つの平板６ａ，６ｂを備えており、これらの平板６ａ，６ｂは側板６ｃで連結されている。側板６ｃには一方の平板６ａとの境界に、この台紙６を折り曲げたときに内側になるように折れ曲がった折れ曲がり部６ｄが形成されている。また、他方の平板６ｂには、側板６ｃと対向する位置に側板６ｃと平行に他の側板６ｅが設けられている。
【００３１】
この台紙６を内側になるようにしてタオル２で包むように折りたたみ、真空パッキングした状態が図１である。図１の実施例では、台紙６の平板６ａ，６ｂよりも表面側にはタオル２の生地が１枚ずつ存在し、平板６ａと６ｂで挟まれた内部空間にはタオル２の生地が２枚以上、例えば６枚が重ねられた状態で収納されている。平板６ａ，６ｂの表面側にあるタオル２の生地と内部にある生地は、全て１枚のタオル２でつながっている。この折りたたんだタオル２を、台紙６を包んだ状態で包装袋４に入れ、吸引ポンプのノズルで吸引すると、吸引に伴って包装袋４の内部が排気されていき、平板６ａ，６ｂより表面側にあるタオル生地は、内部側に引き込まれるように引っ張る力が作用し、平板６ａ，６ｂの表面側ではタオル生地の皺が伸ばされる。
【００３２】
また、平板６ａ，６ｂの間のタオル生地は、できるだけ密度が均一になるように折り畳むことが好ましいが、幾らかの不均一があってもそのタオル生地不均一に伴ってしわが発生しようとしても表面側に剛生の大きい台紙が存在するため、折り畳んだタオルの表面に皺が現われるのが防止される。
【００３３】
台紙６の平板６ａ，６ｂは真空パッキングされたタオル２の２つの主表面（上下の平面）の平面形状を規定するものである。側板６ｃは真空パッキングされたタオル２の厚みを規定する。側板６ｅも真空パッキングされたタオル２の厚みを規定するのに役立つ。折れ曲り部６ｄは、真空パッキングする際に、側板６ｃ上にある生地を内側方向に押し込んで側板６ｃ上で生地に皺が残るのを防ぐのに役立つ。
【００３４】
図１のように、真空パッキングされたタオル２の外形を扁平な直方体状とするために、後述の製造方法の実施例で説明するように、排気をする際に、包装袋の開口部のある側面を除いて、枠内で上下面と側面の形状を平坦になるように固定しておくのが好ましい。
【００３５】
図２（Ｂ）は台紙の他の実施例を示したものである。図２（Ａ）の台紙６では折れ曲り部６ｄは側板６ｃと平板６ａとの境界に設けられているのに対し、図２（Ｂ）の台紙７では折れ曲り部６ｄは側板６ｃの中央部に長手方向に沿って設けられている。このように、折れ曲り部６ｄを設けるとしても、その位置は側板６ｃの端部でもよく、中央部など端部以外の任意の位置であってもよい。
【００３６】
また、図２（Ｂ）の台紙７では平板６ａと６ｂの両方に側板６ｅが設けられている。この台紙７は、両側板６ｅ，６ｅで１つの側面を構成するように折り曲げると、扁平な角筒状となる。
【００３７】
図２（Ｂ）の台紙７はバスタオルのように大き目の布製品を真空パッキングするのに好都合であるが、図２（Ａ）の台紙６をバスタオル用に使用してもよく、また図２（Ｂ）の台紙７を通常のタオル用に使用してもよい。
【００３８】
図３、図４にはさらに他の台紙を示す。
図３は図２（Ａ）に示された台紙６の簡略化した形状をもった台紙を示したものである。
図３（Ａ）に示された台紙１０は、図２（Ａ）の台紙６に比べて、平板６ｂに設けられていた側板６ｅが設けられていない点で異なっている。
【００３９】
図３（Ｂ）に示された台紙１２は、図２（Ａ）の台紙６に比べて、折れ曲り部６ｄが設けられていない点で相違する。
図３（Ｃ）に示された台紙１４は、図４（Ｂ）の台紙からさらに側板６ｅが省略されたものである。
図２（Ｂ）に示された台紙７も同様にして簡略化することができる。
【００４０】
図４（Ａ）に示された台紙１６は、長方形の平板１枚からなる最も単純な形状をしたものである。
図４（Ｂ）に示された台紙１８は、図４（Ａ）の台紙１６の長辺の２辺に側板６ｃと６ｅを設けたものである。
【００４１】
図５は他の実施例における真空パッキングされたタオルの断面形状を示したものであり、図１（Ｂ）と同じ切断位置での断面図を示している。この実施例では台紙１２が図３（Ｂ）に示された簡略化されたものとなっている。
【００４２】
図６は更に他の実施例の真空パックキングされたタオルの断面形状を示したものであり、図１（Ｂ）と同じ切断位置での断面図を示している。この実施例では台紙１６は図４（Ａ）に示されるように、長方形の平板１枚からなる最も単純な形状をしたものである。
【００４３】
真空パックキングする際、表面側のタオル生地に皺が発生しにくくするためには、台紙の平板よりも内部側のタオル生地の枚数に比べて台紙の平板よりも表面側のタオル生地の枚数の方が少ない方がより効果的であるので、図１、図５及び図６の実施例のように、台紙の平板よりも表面側にはタオル２の生地が１枚だけ存在するようにタオルを折り畳むのが最も好ましい。しかし、それに限らず、台紙の平板よりも表面側にタオル２の生地が２枚以上あってもよい。
【００４４】
また、以上の真空パックキング体はタオルやバスタオルを対象としているが、シーツなど、他の布製品にも同様に適用することができる。
【００４５】
次に、本発明の真空パッキングタオルの製造工程を図７から図１０に基づいて説明する。ただし、ここに示すタオル及びバスタオルの折り畳み方は一例であり、本発明の製造方法は例示の折り畳み方法に限定されるものではない。
図７は図２（Ａ）に示された台紙６を用い、通常のタオルを折り畳む方法を示したものである。
（Ａ）タオル２を横方向に置いたとき、左右に二分する中心線２０に対し、一方の側（この場合右側）の中央部に台紙６を置く。台紙６は側板６ｅが外側になり、折れ曲り部６ｄが上方向に隆起する方向に広げた状態で置く。
【００４６】
（Ｂ）台紙６のない側のタオル２の半分（この場合左側）を台紙６上に重なるように折りたたむ。
（Ｃ）その折りたたまれたタオルの上下を台紙６の上下の縁に沿って折りたたむ。
（Ｄ）更にその折りたたまれたタオルの左右の縁に沿って折りたたむ。
（Ｅ）最後に折れ曲り部６ｄが内側にくるように側板６ｃにの位置で２つに折り重ねる。
【００４７】
図８は図２（Ｂ）に示された台紙７を用い、バスタオルを折り畳む方法を示したものである。
（Ａ）バスタオル２を横方向に置いたとき、左右に二分する中心線２０に対し、一方の側（この場合右側）の中央部よりやや外側に台紙７を置く。台紙７は左右に側板６ｅ，６ｅがきて、折れ曲り部６ｄが上方向に隆起する方向に広げた状態で置く。
【００４８】
（Ｂ）台紙７のない側のバスタオル２の半分（この場合左側）を台紙７上に重なるように折りたたむ。
（Ｃ）その折りたたまれたタオルの上下を台紙７の上下の縁に沿って折りたたむ。
（Ｄ）更にその折りたたまれたタオルの左右の縁に沿って折りたたむ。このとき、左側に折り畳まれたタオル部分は長いため右側部分までくる。そのままにして次の（Ｅ）に進んでもよい。あるいは図のように、そのはみ出した部分を反対側に折り返してもよい。
（Ｅ）最後に折れ曲り部６ｄが内側にくるように側板６ｃの位置で２つに折り重ねる。
【００４９】
この用にタオルやバスタオルを折り畳んだ状態で図９に示すように、包装袋４に入れる。包装袋４は例えば、ナイロンとポリエチレンを積層したラミネート袋であり、一端（図では下側）が開口した状態に製作されたものを使用する。折りたたまれたタオルやバスタオル２を、内部に台紙６又は７を包み込んだ状態で袋４内に入れる。このままで袋内を排気し、開口部を封止してもよい。吸引ポンプに繋がるノズル３０の吸引口は扁平な形状をしており、ヒートシール装置３６で包装袋４の開口部を加圧して隙間のない状態としながら、袋４内を排気した後、ノズル３０を引き抜き、ヒートシール装置３６のヒータで袋４の開口部を融着させて封止する。ヒータに替えて高周波融着を行なってもよい。
【００５０】
折りたたまれたタオル又はバスタオルの内側には台紙が入っているため、台紙の形状に沿って真空パッキングされるが、全体の形状を扁平な直方体状によりきれいに仕上げるためには図１０に示されるような枠を利用するのが好ましい。
【００５１】
図１０に示された真空パッキング方法では、図１０（Ａ）に示されるように、凹部の形状が台紙の平板形状よりやや大きめの枠３２を使用する。この枠３２は台紙よりやや大きめの底板の周囲３辺に側板が設けられており、一方の側面が開口した形状となっている。その枠３２の凹部内に、台紙を包み込んで折りたたんだタオル２を包装袋４に入れたものをおく。このとき、包装袋４の開口部が枠３２の開口部から外に出るように向ける。
【００５２】
次に、図１０（Ｂ）に示されるように、包装袋４の開口部から吸引ノズル３０を差し込む。そして、包装袋４の上から枠３２の凹部に沿った形状の押え板３４で包装袋４上から加圧し、ノズル３０で袋内を排気する。このとき包装袋４内の排気とともに板３４により加圧することにより、枠３２と板３４によって包装袋４内に収容されたタオル２の外形形状が扁平な直方体形状に固定される。
【００５３】
包装袋４内が排気された後、枠３２から出ている包装袋４の開口部を、図８で説明したように、ヒートシール装置３６のヒータで融着して封止する。
枠３２と押え板３４は木製、プラスチック製、金属製など、折りたたまれたタオルの形状を固定できる強度をもつものであれば、特に材質は限定されない。
【００５４】
【発明の効果】
本発明の真空パッキング体は、折り畳まれた布製品を通気性のない透光性の合成樹脂製包装袋によりパッキングされているので真空パッキングされた布製品を包装袋を通して外部からみることができ、また、折り畳まれた布製品の内部にはその布製品より大きな剛性をもつ平板を備えた台紙が包み込まれているので、形状が一定していて、しかも皺もよりにくい。
【００５５】
布製品は台紙の平板より表面側に存在する布生地の枚数がその反対側に存在する布生地の枚数より少なくなるように折り畳まれていれば、台紙の平板より表面側の布製品に皺がより少なくなり、よりきれいに真空パッキングすることができる。
【００５６】
本発明の製造方法では、包装しようとする布製品より大きな剛性をもつ平板を少なくとも１つ備えている台紙を布製品の内側に入れ、その台紙に沿って布製品を折り畳んだ状態で合成樹脂製包装袋に入れて真空パッキングするので、一定した形状の真空パッキング体を容易に製造することができる。
【００５７】
布製品を折り畳む際、台紙の平板より表面側に存在する布生地の枚数がその反対側に存在する布生地の枚数より少なくなるように折り畳んでおいて包装袋内の空気を排気するようにすれば、台紙の平板より表面側の生地の皺が伸ばされて真空パッキング体をよりきれいに仕上げることができる。
【００５８】
また、包装袋内の空気を排気する際、包装袋内に収納された布製品を平面形状が台紙の平板形状に対応した凹部をもつ枠に入れ、その布製品の上に蓋を設けて加圧し、包装袋の開口部の側の側面を除いて、その布製品の上下面及び側面が平坦面になるように布製品の形状を固定した状態で排気を行うようにすれば、表面も側面も平坦に整えられた真空パッキング体を容易に仕上げることができる。
【００５９】
本発明の効果を示すために、図１１に実施例と比較例の真空パッキングタオルを画像で示す。
（Ｂ）は比較例として、内部に台紙を入れないで、折り畳んだバスタオルをナイロンとポリエチレンを積層したラミネート袋に入れ、図１０に示されている枠３２と押え板３４を用いて外形を固定しながら真空パッキングしたものである。外形は一応矩形をしているが、皺が多く発生している。
それに対し、（Ａ−１）と（Ａ−２）は実施例を表わしたものである。
【００６０】
（Ａ−１）は図２（Ｂ）の台紙を包み込むようにバスタオルを折り畳み、図１０に示されている枠３２と押え板３４を用いて外形を固定しながら真空パッキングしたものである。外形がきれいな矩形に整えられているとともに、表面の皺もほとんどみられない。
【００６１】
（Ａ−２）は図２（Ｂ）の台紙を包み込むようにバスタオルを折り畳み、図１０に示されている枠３２と押え板３４を用いないで、図９にしめされるように特に外形を固定することなく真空パッキングしたものである。この場合も外形がきれいな矩形に整えられているとともに、表面の皺もほとんどみられない。
【図面の簡単な説明】
【図１】（Ａ）は一実施例の真空パッキングタオルを表わす斜視図、（Ｂ）はそのＸ−Ｘ’線位置での断面図である。
【図２】（Ａ），（Ｂ）はそれぞれ本発明で使用する台紙の例を示す斜視図である。
【図３】（Ａ），（Ｂ），（Ｃ）はそれぞれ本発明で使用する台紙の他の例を示す斜視図である。
【図４】（Ａ），（Ｂ）はそれぞれ本発明で使用する台紙のさらに他の例を示す斜視図である。
【図５】他の実施例の真空パッキングタオルを表わす断面図である。
【図６】さらに他の実施例の真空パッキングタオルを表わす断面図である。
【図７】一実施例の真空パッキングタオルを製造する際のタオルの折り畳み方法の一例を示す工程図である。
【図８】他の実施例の真空パッキングタオルを製造する際のタオルの折り畳み方法の一例を示す工程図である。
【図９】折り畳んだタオルを収納した包装袋の開口部を封止する方法の一例を示す平面図である。
【図１０】折り畳んだタオルを収納した包装袋の開口部を封止する方法の好ましい実施例を示す工程斜視図である。
【図１１】真空パッキングタオルの外形と皺の状態を示す画像であり、（Ａ−１）と（Ａ−２）は実施例、（Ｂ）は比較例である。
【符号の説明】
２　　　タオル
４　　　包装袋
６，７，１２，１４，１６，１８　　　台紙
６ａ，６ｂ　　　台紙の平板
６ｃ，６ｅ　　　側板
６ｄ　　　台紙の折れ曲がり部
３０　　　吸引ノズル
３２　　　枠
３４　　　押え板
３６　　　ヒートシール装置
【図１】
2004010158.tif 000003
【図２】
2004010158.tif 000004
【図３】
2004010158.tif 000005
【図４】
2004010158.tif 000006
【図５】
2004010158.tif 000007
【図６】
2004010158.tif 000008
【図７】
2004010158.tif 000009
【図８】
2004010158.tif 000010
【図９】
2004010158.tif 000011
【図１０】
2004010158.tif 000012
【図１１】
2004010158.tif 000013